(57)【特許請求の範囲】
【請求項１】
箱本体の内部に収納されて物品を支持する支持部材であって、
前記支持部材は、
底板と、前記底板の両側部から立ち上がる一対の壁部材とを有する支持部材本体と、
前記支持部材本体の両端部に切り込みを利用して取り付けられる一対の側壁と、
前記底板の上に載置される物品の上部を覆う天板とを備え、
前記物品の周囲を取り囲む前記一対の壁部材及び前記一対の側壁の内、少なくとも何れか一つに、前記天板側に向けて切り欠かれた切り欠き凹部が形成され、
前記天板の両縁部には、前記切り欠き凹部の前記天板側に向けて立ち上がる両縁部が嵌合する複数の切り込みが形成されており、前記切り込みの深さが同一である、支持部材。
【請求項２】
前記切り欠き凹部は、前記一対の壁部材のそれぞれに、対向するように形成されており、且つ前記それぞれの壁部材における前記切り欠き凹部の位置又は幅が異なっている、請求項１に記載の支持部材。
【発明の詳細な説明】
【技術分野】
【０００１】
本発明は、複写機やプリンター等の画像形成装置に用いるサービスパーツや消耗部品あるいは、電子機器等の物品を緩衝支持した状態で収納するに適した支持部材に関するものである。
【背景技術】
【０００２】
従来、画像形成装置に用いる各種部品等の梱包には、緩衝支持のために発泡スチロール塊等を梱包箱に詰め込んでいた。しかしながら、発泡スチロールは焼却時に有害ガスを発生する等の問題があり、環境保全上の見地から使用が好ましくないので、発泡スチロールを用いないか、またはその使用量を極力少なくしても物品をうまく緩衝支持できる梱包方法に対する要求が高くなっている。
【０００３】
このため、梱包材料である段ボール紙を利用して、緩衝効果を得る構造がいろいろ提案されている。その例を下記特許文献に示す。
【０００４】
また、下記特許文献１に開示されている梱包箱も、段ボール製箱体と、収容物品の離隔用仕切り部材とからなり、前記仕切り部材は、収納物品に対して弾性的に折り曲げ可能な折り曲げ片を有する段ボール材で構成し、この折り曲げ片を箱体と収容物品との隙間に折り曲げて配置するものである。また、収納物品を確実にかつ安定的に保持するために、仕切部材は、収納する物品の高さに合わせて物品の周囲を確実に取り囲み、強度を維持するためにその上端部には切り欠き等を形成していない。
【特許文献１】特開平０９−３１５４２３号公報
【発明の開示】
【発明が解決しようとする課題】
【０００５】
しかしながら、従来の梱包箱に用いる仕切り部材は、物品を衝撃から守るために、出来るだけ変形しないようにして、仕切部材そのものの強度を如何に確保するかに主眼が置かれていた。
【０００６】
そのため、収納する物品とのバランスにおいて、仕切部材の強度が強すぎて、落下時の衝撃が収納物品に直接加わり、収納物品が破損してしまうという課題が有った。
【０００７】
本発明は、上記従来の梱包箱に用いられる部材のこの様な課題を考慮し、収納物品に加わる衝撃をより緩和できる支持部材を提供することを目的とする。
【課題を解決するための手段】
【０００８】
上記課題を解決するため、第１の本発明は、箱本体の内部に収納されて物品を支持する支持部材であって、
前記支持部材は、
底板と、前記底板の両側部から立ち上がる一対の壁部材とを有する支持部材本体と、
前記支持部材本体の両端部に切り込みを利用して取り付けられる一対の側壁と、
前記底板の上に載置される物品の上部を覆う天板とを備え、
前記物品の周囲を取り囲む前記一対の壁部材及び前記一対の側壁の内、少なくとも何れか一つに、前記天板側に向けて切り欠かれた切り欠き凹部が形成され、
前記天板の両縁部には、前記切り欠き凹部の前記天板側に向けて立ち上がる両縁部が嵌合する複数の切り込みが形成されており、前記切り込みの深さが同一である、支持部材である。
【０００９】
また、第２の本発明は、上記切り欠き凹部が、前記一対の壁部材のそれぞれに、対向するように形成されており、且つ前記それぞれの壁部材における前記切り欠き凹部の位置又は幅が異なっている、上記第１の本発明の支持部材である。
【発明の効果】
【００１１】
本発明は、収納物品に加わる衝撃をより緩和できる支持部材を提供することが出来るという効果を有する。
【発明を実施するための最良の形態】
【００１２】
以下、本発明の実施形態について図面に基づいて具体的に説明する。図１は、本発明に係る支持部材の構造を示すとともに、物品梱包箱１（以下「梱包箱」と略すこともある）を表している。
【００１３】
同図に示すとおり、梱包箱１は、箱本体２と支持部材３とを備えている。箱本体２は通常使用される段ボール箱であり、支持部材３は、複数の弾力のある段ボール紙片を折り曲げて組み立てられている。
【００１４】
図２ないし図５は、支持部材３を構成する各段ボール紙片の展開図を表すもので、図２は支持部材３の本体５を表す。この本体５は、底板６の両端部に縦方向の側壁となる壁部分７、８が折り曲げ（図では谷折り）可能に一体形成されている。また、底板６の左側には水平に伸びる延長部９が一体形成され、その端部に外縁部１０がＴ字状に一体形成されている。外縁部１０の両端部は前記壁部分７、８とつながっており、当該壁部分７、８と同様に谷折りされて起立させられる。
【００１５】
本体５の底板６の右側には、水平に伸びる延長部１１が一体形成されているが、この延長部１１の端部は他の部分から切り離された自由端部となっている。また、底板６の前記壁部分７との連結部には窓状の穴１３が形成され、穴１３は、底板６の強度を調整し、緩衝効果を得るためのものである。
【００１６】
さらに、前記壁部分７には、起立時に上に切り欠きの開口部が向く角型の切り欠き凹部１５（以下、これを単に上に開く切り欠き凹部とも呼ぶ）が形成され、他方の壁部分８には、前記切り欠き凹部１５よりも若干小さい同様な凹部１６が形成されている。したがって、切り欠き凹部１５の両縁部１５ａ、１５ｂの間隔Ａは、他方の切り欠き凹部１６の両縁部１６ａ、１６ｂの間隔Ｂよりも大きくなっている。これらの凹部１５、１６は、収納物品に加わる衝撃を考慮し、壁部分の強度を調整して弾性変形能力を高めるためのもので、これを設けておけば、落下時等において内部の物品が衝撃で壁部分７、８に押し付けられたときに、当該壁部が弾性変形することにより、収納物品には直接衝撃が伝わりにくいという適度の緩衝効果（緩衝能力の改善）が得られるのである。尚、後述する、上に開く凹部２５，３１（図３，４参照）も緩衝能力を改善するための調整用の切り欠き部である。
【００１７】
前記壁部分７、８の一方の端部には上に開く切り込み７ａ、８ａが形成されている。また、壁部分７、８の他方の端部には、起立時に下に開く切り込み７ｂ、８ｂが形成されている。これらの切り込みは、支持部材３の組み立て時に他の紙片の嵌合固定に利用される。さらに、これら壁部分７、８の起立時に下側に位置する部分には、それぞれ脚部７ｃ、７ｃ、８ｃ、８ｃが一体に形成されている。なお、この支持部材３の本体５は、１枚の段ボール紙で形成されている。
【００１８】
図３は、図１中に示した支持部材３の左側の側壁２０をなす段ボール紙片であり、この側壁２０には、上に張り出す折り曲げ片２１が一体に形成されている。また、この側壁２０の両端部付近には上に開く切り込み２２、２３が形成されている。側壁２０の幅方向の中心よりも一方に偏った部分には、凹部２５が形成されている。この凹部２５の中間部には、前記切り込み２３の下方に嵌り込む直角方向の小さな凹部２６が形成されている。これら折り曲げ片２１、凹部２５等が形成されている側と反対側の部分が脚部２７となる。
【００１９】
図４は、右側の側壁３０をなす段ボール紙片であり、この側壁３０の起立時に上側となる部分の中央部には、上に開く凹部３１が形成されており、起立時に下側になる部分の中央部には角型の凹部３２が形成されている。この凹部３２の左右両側の部分が脚部３３、３４となっており、これら脚部３３、３４にはそれぞれ下に開く切り込み３３ａ、３４ａが形成されている。これらの切り込み３３ａ、３４ａには、壁部材７、８の端部付近に形成した切り込み７ａ、８ａがそれぞれ係合する。
【００２０】
図５は、物品の上に被せられる天板４０となる段ボール紙片であり、この段ボール紙片は前後左右に対称的に形成されており、中央部の両側に台形状の凹部４１、４２が形成されている。これら凹部の両側には、拡径部４３、４４が形成され、これら拡径部４３、４４には、外側から中心部に向かって切り込まれた切り込み４５それぞれ形成されている。これら切り込み４５の深さＬはすべて同じとなっている。また、拡径部４３、４４の先端部には、折り曲げ片４３ｃ、４４ｃが一体に形成されている。
【００２１】
図６は、これら各段ボール紙片を組み合わせて、天板４０以外の支持部材３を組み立てた状態を表す。同図からわかるように、この支持部材３は、各段ボール紙片を、該段ボール紙片に形成した切り込み同士を嵌合することにより結合一体化するので、組み立ては簡単であり、しかも強固な結合力が得られる。なお、各紙片に設けられている切り欠き凹部は、そのサイズを調整することで、該段ボール紙片の弾性変形能力を高めて緩衝効果を向上させるためのものである。
【００２２】
つぎに、図７（ａ）は、この支持部材３に物品Ｐを載置した状態を表す。この物品Ｐは、概略四角形の物品である。この物品の周囲は、前記壁部分７、８及び側壁２０、３０の面にほぼ接した状態で囲まれている。
【００２３】
図８は、上記のように支持部材３に支持された物品Ｐの上に天板４０を被せた状態を表す。この天板４０は、図９に示すように、両端部の折り曲げ片４３ｃ、４４ｃを上向きに折り曲げておく。天板４０の一方の側の切り込み４５には、一方の側の壁部分８の切り欠き凹部１６の両縁部１６ａ、１６ｂが嵌合片としてそれぞれ嵌合し、他方の側の切り込み４５には、他方の側の壁部分７の切り欠き凹部１５の両縁部１５ａ、１５ｂが嵌合片としてそれぞれ嵌合する。
【００２４】
この梱包箱１は、上記のとおり、箱本体２に支持部材３を収納し、この支持部材３の底板６上に物品を載置した状態で天板４０をその上から被せて固定する。そして、必要に応じて発泡スチロール等のパッキン材を充填し（充填しなくてもよい）、箱本体２の開口を閉じることにより、梱包が完了する。この場合、物品Ｐは、支持部材の壁部分７、８と、両側の側壁２０、３０で囲まれて支持されるので、しっかりと保持される。また、支持部材は、弾力のある段ボール紙で製作されているので、緩衝効果も優れている。さらに、支持部材の折り曲げ片２１と、天板４０の折り曲げ片４３ｃ、４４ｃが折り曲げられた状態で箱本体の内壁に沿って、箱本体２の蓋の内面と接触するので、これらによってもクッション効果が得られ、収納物品への衝撃を緩和することが可能となる。
【００２５】
次に、本実施の形態の天板４０の切り込み４５の深さＬを全て同じに設定した理由について更に説明する。
【００２６】
上述した通り、支持部材本体５に設けられた切り欠き凹部１５，１６の大きさと位置は、緩衝能力を調整するために、それぞれ異なり得る。そのため、物品Ｐの収納スペースを仕切るための、本体５の壁部分７、８の内側への出代Ａ１、Ａ２、Ｂ１、Ｂ２の幅が全て異なることが生じる（図８参照）。
【００２７】
従って、上記実施の形態で説明したのと異なり、天板４０の切り欠き４５を、異なる幅の出代Ａ１、Ａ２、Ｂ１、Ｂ２に合わせて形成することも可能である。
【００２８】
しかし、このように各嵌合の寸法に適合した、異なる深さの切り込みを形成した天板を使用すると、実際の梱包作業時には、天板の向きを考慮しながら組み付けなければならないので、作業効率が悪く手間がかかる。
【００２９】
そこで本実施の形態の支持部材の構成によれば、物品の緩衝能力を向上させるとともに、天板の挿入する向きを考慮しなくても、簡単に組み立てできるので、作業効率も向上するという効果を発揮する。
【００３０】
以上述べたとおり、本発明に係る支持部材は、箱本体に収納される支持部材の底板上に載置された物品を一対の壁部材と一対の側壁とで囲んで支持し、その上に天板を被せて保護するので、物品の支持が確実である。上記天板には複数の切り込みが形成され、支持部材側に形成した切り欠き凹部の両縁部を上記複数の切り込みに嵌合することにより該天板を固定するので、強度的に優れている。また、前記切り欠き凹部は、壁部材の衝撃による弾性変形能力を高めることにより緩衝能力を向上させるためのものであって、物品を効果的に緩衝支持するためのものであるが、この切り欠き凹部の両縁部を天板の切り込みに対する嵌合片として利用するので、別途嵌合片を形成する必要がなく、構造的に簡単である。さらに、天板の前記複数の切り込みはすべて十分な深さで、かつ同一深さに形成されているので、嵌合片の寸法が変化する場合でも同じ天板を共用することができ、しかも組み立て時には天板の向きを気にしなくても嵌合させることができるので、実際の梱包作業時に余計な注意をする必要がなく、能率的かつ容易に梱包作業を行うことができる。
【００３１】
上記実施の形態では、底板６の形状と、収納する物品の底面の形状との関係については特に言及しなかった。そこで、次に、収納する物品の底面の側縁部に肉の薄い段部Ｄが形成されている場合の支持部材の構成について、図面を用いて更に説明する。
【００３２】
図１０は、本実施の形態の支持部材に用いる支持部材本体５’の展開図であり、図２に示した支持部材本体５の変形例である。
【００３３】
図１０の展開図では、切り欠き凹部１６の内側に、折り曲げ用の紙片Ｓが残されている。  
【００３４】
ここで、上記折り曲げ用の紙片Ｓは後述の受け台５０形成用の紙片であり、その両縁部から底部の一部まで入れた切り目１８によって壁部材８から切り離されており、底部だけが壁部材８とつながっている。図１０の破線１８は折り目であり、底部の折り目１８に沿ってこの紙片を底板上に折り曲げれば、切り欠き凹部１６が形成される。またこの紙片Ｓを折り目１８に沿って断面コ字型に折り曲げることにより、この紙片Ｓを箱状の受け台５０に形成することができる。紙片Ｓの５１で示す部分は突起であり、５２で示す部分は反り部である。また、５３で示す受け台の底部は、突起５１を切り抜いた残りの部分であり、底板６と平行に折り返されて該底板６上に載置される。
【００３５】
図１１は、受け台５０が設けられた支持部材３’の斜視図である。  
【００３６】
同図に示すように、底板６の一方の縁部、すなわち前記壁部材８の切り欠き凹部に隣接する部分には、前記段ボール紙片Ｓを断面コ字型に折り曲げて形成した箱状の受け台５０が底板６上に載置された状態で設けられている。図１２（ｂ）、（ｃ）に示すように、この受け台５０には、下向きに突出する突起５１が一体に設けられており、この突起５１が底板６に形成されているスリット１４に挿通されている。突起５１の先端部付近には反り部５２が形成されていて、この反り部５２は若干変形させて無理嵌め式に上記スリット１４に挿通するが、挿通後は底板６の裏面（下面）に係合するので、底板６が突起５１によって吊られた状態で支持される。このため、底板が下向きに変形しにくくなっている。ここで、図１２（ｂ）は、本実施の形態の支持部材３’のＡ−Ａ矢視断面図（図１１参照）において、説明のために物品Ｐを載置した状態を示す図である。また、図１１（ｃ）は、本実施の形態の支持部材３’のＢ−Ｂ矢視断面図（図１１参照）において、説明のために物品Ｐを載置した状態を示す図である。
【００３７】
つぎに、図１２（ａ）は、この支持部材３に載置される物品Ｐを表す斜視図である。この物品Ｐは、概略四角形の画像形成装置に用いるサービスパーツであり、一方のコーナー部付近に三角状の切欠部Ｋが形成されている。また、この物品の一方の側縁部には、肉の薄い段部Ｄが形成されている。この物品Ｐは、段部Ｄが形成されている方を下にして底板６上に載置され、前記段部Ｄは、前記段ボール紙片Ｓを断面コ字型に折り曲げて形成した箱状の受け台５０上に載置される。
【００３８】
よって、受け台５０を設けた構成にすれば、落下時の衝撃で物品が傾斜することが無いので、段部Ｄと底板との境界部ＤＬにおいて、その衝撃力が集中してかかることも無い。従って、境界部ＤＬで底板が変形して元の形状にもどらないとった状態になることが避けられるという効果を発揮する。なお、物品Ｐの周囲は、前記壁部分７、８及び側壁２０、３０の面にほぼ接した状態で囲まれている。
【００３９】
尚、上記実施の形態では、天板４０の切り込み４５の深さＬを同一にした場合について説明したが、これに限らず例えば、切り込みの深さは、それぞれ異なっていても良い。
【００４０】
また、上記実施の形態では、切り欠き凹部（１５，１６，２５，３１）が、物品を収納するスペースの４方の側壁のそれぞれに形成されている場合について説明したが、これに限らず例えば、本発明の「一対の壁部材」の一例である壁部分７，８にのみ形成しても良いし、あるいは、本発明の「一対の側壁」の一例である左側の側壁２０と右側の側壁３０にのみ形成しても良い。また、壁部分７，８と、左側の側壁２０と右側の側壁３０の内の何れか一つに形成して良いし、何れか複数のカ所に形成しても良い。
【産業上の利用可能性】
【００４１】
本発明に係る支持部材は、複写機やプリンター等の画像形成装置に用いるサービスパーツや消耗部品あるいは、電子機器等の物品を緩衝支持した状態で収納するに適した支持部材の分野で効果的に使用することができ、収納物品に加わる衝撃をより緩和できる支持部材を提供することが出来る。
【図面の簡単な説明】
【００４２】
【図１】本実施の形態の梱包箱と支持部材の構成を表す斜視図
【図２】本実施の形態の支持部材に用いる支持部材本体の展開図
【図３】本実施の形態の支持部材に用いる左側の側壁の展開図
【図４】本実施の形態の支持部材に用いる右側の側壁の展開図
【図５】本実施の形態の支持部材に用いる天板の展開図
【図６】本実施の形態の支持部材の組み立て状態を表す斜視図
【図７】本実施の形態の支持部材の収納スペースに物品を載置した状態を表す斜視図
【図８】本実施の形態の支持部材の上に天板を被せた状態を表す斜視図
【図９】本実施の形態の支持部材に用いる天板の斜視図
【図１０】本実施の形態の支持部材に用いる支持部材本体の変形例の展開図
【図１１】本実施の形態の支持部材の変形例の組み立て状態を表す斜視図
【図１２】（ａ）本実施の形態の支持部材３’において載置される物品Ｐを表す斜視図  （ｂ）本実施の形態の支持部材３’のＡ−Ａ矢視断面図において、説明のために物品Ｐを載置した状態を示す図  （ｃ）本実施の形態の支持部材３’のＢ−Ｂ矢視断面図において、説明のために物品Ｐを載置した状態を示す図
【符号の説明】
【００４３】
１        梱包箱
２        箱本体
３        支持部材
５        支持部材本体
６        底板
７        壁部分
８        壁部分
１５        切り欠き凹部
１６        切り欠き凹部
２０        左側の側壁
３０        右側の側壁
４０        天板
４５        切り込み
５０        受け台
５１        突起
５２        反り部
５３        受け台の底部
【図１】
0005091622.tif 000002
【図２】
0005091622.tif 000003
【図３】
0005091622.tif 000004
【図４】
0005091622.tif 000005
【図５】
0005091622.tif 000006
【図６】
0005091622.tif 000007
【図７】
0005091622.tif 000008
【図８】
0005091622.tif 000009
【図９】
0005091622.tif 000010
【図１０】
0005091622.tif 000011
【図１１】
0005091622.tif 000012
【図１２】
0005091622.tif 000013